(57)【特許請求の範囲】
【請求項１】
紙幣を挿入する紙幣挿入口と、
この紙幣挿入口に連通され紙幣の厚み方向に互いに対向する２枚の搬送路形成板によって形成された紙幣搬送路と、
この紙幣搬送路内に搬送された紙幣の真贋を識別する紙幣識別装置と、
この紙幣識別装置へ前記紙幣挿入口から挿入された紙幣を搬送する紙幣搬送手段とを備えた紙幣搬送装置において、
前記紙幣搬送路の前記紙幣挿入口と反対側に前記紙幣搬送手段によって搬送される紙幣を外部に露呈させる開口を設け、
この開口近傍に設けられ前記搬送路形成板に対接する方向に付勢された矯正レバーを設け、
前記紙幣搬送路の前記開口に隣接した部位であって、この部位の前記搬送路形成板間の間隔を狭く形成し、
前端部が前記開口から露呈した紙幣を前記紙幣搬送手段によって紙幣挿入口方向へ搬送することを特徴とする紙幣搬送装置。
【発明の詳細な説明】
【技術分野】
【０００１】
本発明は、自動販売機やパチンコの遊技台用台間機等に設けられる紙幣搬送装置に関するものである。
【背景技術】
【０００２】
一般的に、この種の紙幣搬送装置においては、紙幣を搬送した後に紙幣を収納する紙幣収納装置が併設されている。この紙幣収納装置では、紙幣の厚み方向に堆積させた状態で収納させるため、紙幣にカール癖または皺あるいは折れ等が発生していると、堆積不良が発生したり、収納枚数が減ってしまうため、紙幣搬送装置には紙幣のカール癖、皺および折れ等を矯正する構成が備えられている。
【０００３】
従来の紙幣搬送装置としては、周部にリング状の溝が形成された大径プーリと、この大径プーリの溝に周部が臨む矯正ローラとを備え、大径プーリとエンドレステープとに挟まれて搬送される紙幣が大径プーリと矯正ローラとの間を通過するときに、カール癖、皺および折れ等を矯正するものがある（例えば、特許文献１参照）。
【特許文献１】特開平９−３１５６５２号公報（段落「０００６」および「０００７」、図１および図２）
【発明の開示】
【発明が解決しようとする課題】
【０００４】
上述した従来の紙幣搬送装置においては、紙幣を搬送させる大径プーリによって折れ等を矯正する構成であるため、紙幣に形成された折れが折り返されている場合は、この折れを大径プーリと矯正ローラとによって矯正するのではなく折り畳んでしまうことがある。このように矯正されなかった折れによって紙幣搬送中に紙幣詰まりを起こすという問題があった。
【０００５】
本発明は上記した従来の問題に鑑みなされたものであり、その目的とするところは、紙幣の折れを自動的に矯正することにより紙幣収納部における紙幣の堆積不良や収納枚数の減少を防止するとともに、紙幣詰まりを防止した紙幣搬送装置を提供するところにある。
【課題を解決するための手段】
【０００６】
この目的を達成するために、請求項１に係る発明は、紙幣を挿入する紙幣挿入口と、この紙幣挿入口に連通され紙幣の厚み方向に互いに対向する２枚の搬送路形成板によって形成された紙幣搬送路と、この紙幣搬送路内に搬送された紙幣の真贋を識別する紙幣識別装置と、この紙幣識別装置へ前記紙幣挿入口から挿入された紙幣を搬送する紙幣搬送手段とを備えた紙幣搬送装置において、前記紙幣搬送路の前記紙幣挿入口と反対側に前記紙幣搬送手段によって搬送される紙幣を外部に露呈させる開口を設け、この開口近傍に設けられ前記搬送路形成板に対接する方向に付勢された矯正レバーを設け、前記紙幣搬送路の前記開口に隣接した部位であって、この部位の前記搬送路形成板間の間隔を狭く形成し、前端部が前記開口から露呈した紙幣を前記紙幣搬送手段によって紙幣挿入口方向へ搬送するものである。
【発明の効果】
【０００８】
本発明によれば、仮に紙幣の前端部に形成された折れが折り返されていたとしても、搬送路形成板の端部とこれに付勢された矯正レバーの揺動端部との間を通過するときに、折れは紙幣が厚み方向の移動を規制された状態で矯正レバーの揺動端部または搬送路形成板の端部に係合する。この状態で、紙幣が搬送されるため折れは矯正レバーの揺動端部または搬送路形成板の端部によって折り返された方向と反対方向に折り返されながら矯正される。このため、紙幣収納部において堆積不良が発生したり、収納枚数が減ってしまうというようなことがない。また、紙幣搬送中における紙幣詰まりを防止することができる。また、紙幣搬送路の開口に隣接した部位において、搬送路形成板間の間隔が狭く形成されているため、この部位を通過する紙幣が厚み方向への移動を規制される。したがって、紙幣の前端が、矯正レバーの揺動端部と搬送路形成板の端部との対接部に導かれる。また、紙幣が搬送路形成板間の間隔を狭く形成した部位を通過するときに、紙幣の前端部の撓みやカール癖が一時的ではあるが矯正されて平坦状になるため、この前端部の剛性が矯正レバーに当接する際に大きくなる。このため、紙幣の前端部は、矯正レバーの揺動端部と搬送路形成板の端部との対接部との間で破損したりすることなく円滑に通過し開口から露呈する。
【発明を実施するための最良の形態】
【００１０】
以下、本発明の実施の形態を図に基づいて説明する。図１は本発明に係る紙幣搬送装置におけるアッパーケースを取り外した状態を示す平面図、図２は図１におけるII-II 線断面図、図３および図４は図２における要部を拡大して示す断面図であって、図３は紙幣挿入口を開放した状態を示し、図４（Ａ）は矯正レバーによって紙幣の折れを矯正する状態を示し、同図（Ｂ）は矯正レバーの揺動端部が紙幣挿入口に進出した状態で、揺動端部と搬送路形成板との間に隙間が形成されている状態を示し、図５は図２における要部を拡大して示す断面図である。なお、明細書中において方向を説明するために使用した「上、下」は、説明の便宜上図中における方向を説明したものであって、本発明に係る紙幣搬送装置を実際に使用する際の上、下の方向とは必ずしも一致するものではない。また、図１において、説明の便宜上、第１の矯正レバー３５および第２の矯正レバー４５にハッチングを付している。
【００１１】
図２に全体を符号１で示す紙幣搬送装置は、下方が開口し箱状に形成されたロアーケース２と、上方が開口し箱状に形成されたアッパーケース３とから概略構成されている。ロアーケース２の上板（搬送路形成板）５の中央部には、矢印Ａ−Ｂ方向に延在する細長い長方形に形成された一対の窓６，６（図１参照）が設けられている。また、この上板５の矢印Ｂ方向の端部であって、矢印Ｃ−Ｄ方向の両端部には、後述する第１の矯正レバー３５が臨む長方形に形成された窓７，７（図１参照）が設けられている。８はロアーケース２の上板５に設けられ後述するシャッタ４０ｃが臨む窓であって、窓６と窓７との間に設けられている。
【００１２】
図１において、１０は紙幣１１を搬送するためのモータであって、ロアーケース２の上板５を矢印Ｄ方向に延設した延設部１２に取り付けられている。このモータ１０の出力軸には、図２に示すようにモータギア１３が軸着され、このモータギア１３には、ロアーケース２に図示を省略した軸受を介して回転自在に支持されたシャフト１４の一端部に軸着されたギア１５が噛合している。シャフト１４の他端部に軸着されたウォーム１６にはウォームホィール１７が噛合しており、このウォームホィール１７は、図１に示すようにロアーケース２の両側部間に横架された駆動軸１８の一端部に軸着されている。この駆動軸１８には、２つの駆動ローラ１９，１９が軸着されており、これら駆動ローラ１９，１９とロアーケース２に図示を省略した軸受を介して従動ローラ２０，２０との間には、上記した窓６，６に臨む搬送ベルト２１，２１が張架されている。これら搬送ベルト２１，２１には、ロアーケース２に設けた図示を省略した軸受に回転自在に支持されたテンションローラ２２，２２が添接されている。
【００１３】
アッパーケース３の底板（搬送路形成板）２５には、図２に示すように上記した窓６，８に対応して窓２６，２７が設けられており、この底板２５の矢印Ａ方向の端部であって、矢印Ｃ−Ｄ方向の両端部には、後述する第２の矯正レバー４５が臨む長方形に形成された窓２８，２８（一方の窓２８は図示せず）が設けられている。
【００１４】
このアッパーケース３は、底板２５とロアケース２の上板５と互いに対向するようにしてロアーケース２に取り付けられており、底板２５、上板５およびロアーケース２の両側部（図示せず）によって、矢印Ａ−Ｂ方向に延在し紙幣１１を搬送する紙幣搬送路３０が形成されている。この紙幣搬送路３０の矢印Ｂ方向の端部には、この紙幣搬送路３０に連通され紙幣１１を挿入する紙幣挿入口３１が設けられており、紙幣搬送路３０の紙幣挿入口３１と反対側の端部には、紙幣搬送路３０に連通され紙幣１１の前端側を露呈させる開口３２が設けられている。
【００１５】
上記した搬送ベルト２１，２１は、ロアーケース２の窓６，６から紙幣搬送路３０内に臨んでおり、駆動ローラ１９、従動ローラ２０およびテンションローラ２２，２２のそれぞれには、８個のピンチローラ３３（４個のピンチローラ３３は図示せず）が搬送ベルト２１を介して対接されている。これらピンチローラ３３は、駆動ローラ１９、従動ローラ２０およびテンションローラ２２，２２に対して接離自在となるように揺動自在なレバーに支持されており、通常付勢手段（いずれも図示せず）によって駆動ローラ１９、従動ローラ２０およびテンションローラ２２，２２に対接されている。一方、後述する搬送ローラ５５によって紙幣１１を図１中矢印Ｃ方向に搬送する際に、図示を省略したソレノイドを駆動することによりレバーを付勢手段の付勢力に抗して揺動させ、ピンチローラ３３を駆動ローラ１９、従動ローラ２０およびテンションローラ２２，２２から離間させるように構成されている。
【００１６】
図１および図３において、３５，３５はロアーケース２の上記した窓７，７に対応してロアーケース２内に設けられた第１の矯正レバーであって、側面視への字状に形成されており、ロアーケース２の両側部に植設されたピン３６，３６に中央部が回動自在に支持されている。３７はロアーケース２内に設けられた駆動手段としてのソレノイドであって、進退自在なロッド３７ａの先端部には、このロッド３７ａの進退方向と直交する方向（図１中矢印Ｃ−Ｄ方向）に延在する駆動ピン３８が軸着されている。
【００１７】
この駆動ピン３８の両端部は、第１の矯正レバー３５，３５の基端部に設けた長孔３５ａ，３５ａに係入されており、ソレノイド３７のロッド３７ａが前進することにより、第１の矯正レバー３５はピン３６を回動中心として図３中時計方向に回動し、揺動端部３５ｂが紙幣挿入口３１から退出する。揺動端部３５ｂの断面形状は面取りされてなく角度略８０°を呈する角部に形成されている。一方、ソレノイド３７のロッド３７ａが後退することにより、第１の矯正レバー３５はピン３６を回動中心として図４中反時計方向に回動し、揺動端部３５ｂが窓７から紙幣挿入口３１内に進出する。進出した揺動端部３５ｂは、同図（Ｂ）に示すように紙幣挿入口３１近傍であるアッパーケース３の底板２５の矢印Ｂ方向の端部２５ａに隙間δだけ隔てて接近する。ここで、隙間δは紙幣１１の２枚分の厚みに設定されている。また、端部２５ａの断面形状は面取りされてなく角度が略８０°を呈する角部に形成されている。
【００１８】
図３において、４０は断面がコ字状で図中矢印Ｂ方向に開口を有する中空部４０ａが設けられたシャッタ部材であって、図１に示すように矢印Ｃ−Ｄ方向に延在し両側部には、ガイド突起４０ｂ，４０ｂが突設されている。これら突起４０ｂ，４０ｂがロアーケース２の両側部に設けたガイド溝（図示せず）に係入されることにより、このシャッタ部材４０は図３中上下方向に移動自在に支持されている。このシャッタ部材４０の上端部には、ロアーケース２の窓８に臨む３個のシャッタ４０ｃが一体に突設されている。
【００１９】
４１は側面視逆Ｌ字状に形成された揺動部材であって、中央部がロアーケース２側に横架された軸４２に枢支され、この軸４２を回動中心としてロアーケース２に図３中時計・反時計方向に回動自在に支持されており、一端側の揺動端部４１ａがシャッタ部材４０の中空部４０ａ内に係入されている。また、この揺動部材４１の他端側の基端部に設けたＵ字溝４１ｂには、上記した駆動ピン３８が係入されている。
【００２０】
このような構成において、ソレノイド３７のロッド３７ａが前進すると、駆動ピン３８を介して揺動部材４１が軸４２を回動中心として図中時計方向に回動するので、この揺動部材４１の揺動端部４１ａを介してシャッタ部材４０が上方に移動し、シャッタ４０ｃが窓８から紙幣搬送路３０内に進出する。一方、ソレノイド３７のロッド３７ａが後退すると、駆動ピン３８を介して揺動部材４１が、図４（Ａ）に示すように軸４２を回動中心として図中反時計方向に回動するので、この揺動部材４１の揺動端部４１ａを介してシャッタ部材４０が下方に移動し、シャッタ４０ｃが紙幣搬送路３０からロアーケース２内に退避する。
【００２１】
図１および図５において、４５，４５はアッパーケース３の上記した窓２８，２８に対応してアッパーケース３内に設けられた第２の矯正レバーであって、アッパーケース３の両側部に植設されたピン４６に基端部が回動自在に支持されている。この第２の矯正レバー４５はねじりコイルばね４７のねじりモーメントによって、ピン４６を回動中心として図５中反時計方向に付勢されており、揺動端部４５ａが開口３２近傍であるロアーケース２の上板５の矢印Ａ方向の端部５ａに対接している。この端部５ａの断面形状は面取りされてなく角度が９０°を呈する角部を形成している。また、揺動端部４５ａの断面形状は面取りされてなく角度が略７０°を呈する角部を形成している。
【００２２】
ロアーケース２の上板５の矢印Ａ方向の端部には隆起部５ｂが設けられており、紙幣搬送路３０の開口３２に隣接した部位４８において、上板５とアッパーケース３の底板２５との間隔が狭く形成されている。
【００２３】
図１において、５１は紙幣挿入口３１と窓８との間に設けられた第１のセンサであって、紙幣挿入口３１から紙幣搬送路３０内に挿入された紙幣１１の前端を検知してモータ１０を正方向に回転駆動するとともに、ソレノイド３７のロッド３７ａを後退させるように駆動する。５２は紙幣搬送路３０内を矢印Ａ方向に搬送されてきた紙幣１１の後端を検知してモータ１０を正方向から逆方向に駆動する第２のセンサである。５３は紙幣搬送路３０内を矢印Ｂ方向に搬送されてきた紙幣の前端を検知してモータ１０の駆動を停止する第３のセンサである。
【００２４】
５５は紙幣搬送路３０の矢印Ｃ方向の端部に設けられた矢印Ａ−Ｂ方向に延在する搬送ローラであって、図示を省略した紙幣識別装置によって真札と識別され図１中二点鎖線で示す位置において停止している紙幣１１を矢印Ｃ方向に搬送し、紙幣収納部５６に紙幣１１を堆積状態で収納する。すなわち、紙幣１１を紙幣収納部５６へ収納する信号が紙幣搬送装置１の制御部（図示せず）から送られると、上述したように図示を省略したソレノイドを駆動し、ピンチローラ３３を駆動ローラ１９、従動ローラ２０およびテンションローラ２２，２２から離間させる。次いで、図示を省略したモータの駆動によって搬送ローラ５５を回転駆動し、この搬送ローラ５５とこれに対接するピンチローラ（図示せず）とによって紙幣１１を挟持し、矢印Ｃ方向に搬送し紙幣収納部５６に収納する。
【００２５】
次に、このように構成された紙幣搬送装置において、紙幣挿入口３１から挿入された紙幣の搬送動作について説明する。予め、図３に示すようにソレノイド３７のロッド３７ａを前進させ、第１の矯正レバー３５をピン３６を回動中心として時計方向に回動させ、揺動端部３５ｂを紙幣挿入口３１から退出させ、紙幣挿入口３１を開放しておく。また、ソレノイド３７のロッド３７ａを前進させることにより、シャッタ部材４０が上方に移動しており、シャッタ４０ｃがロアーケース２の窓８から紙幣搬送路３０内に進出している。
【００２６】
この状態で、紙幣１１を紙幣挿入口３１から紙幣搬送路３０内に挿入し、紙幣１１の前端が第１のセンサ５１によって検知されると、モータ１０が正方向に回転駆動するため、駆動ローラ１９が図２中反時計方向に回転し、搬送ベルト２１が矢印Ａ方向に走行する。同時に、ソレノイド３７のロッド３７ａが、図４に示すように後退するため、第１の矯正レバー３５がピン３６を回動中心として図中反時計方向に回動し、第１の矯正レバー３５の揺動端部３５ｂが紙幣挿入口３１に進出する。したがって、揺動端部３５ｂが、同図（Ｂ）に示すようにアッパーケース３の底板２５の端部２５ａと隙間δだけ隔てて接近する。また、シャッタ部材４０が矢印Ｃ方向に移動するため、シャッタ４０ｃが紙幣搬送路３０からロアーケース２内に退避し、紙幣搬送路３０内への紙幣１１の挿入が可能になる。
【００２７】
したがって、紙幣１１を紙幣１１の前端が従動ローラ２０に接触するまで、紙幣搬送路３０内へ挿入すると、図２中反時計方向に回転している従動ローラ２０とこれに対向するピンチローラ３３とによって紙幣１１の前端が挟持され、紙幣１１は紙幣搬送路３０内を矢印Ａ方向に搬送される。矢印Ａ方向に搬送される紙幣１１は、順次テンションローラ２２，２２とピンチローラ３３，３３および駆動ローラ１９とピンチローラ３３とによって挟持されて後端が紙幣挿入口３１から紙幣搬送路３０内に取り込まれる。
【００２８】
ここで、仮に、図４（Ａ）に示すように紙幣１１の後端部に、図中下方側でかつ紙幣搬送方向（矢印Ａ方向）に折り返された折れ１１ａが発生していたとしても、紙幣１１が紙幣挿入口３１から紙幣搬送路３０内に取り込まれる際に折れ１１ａが矯正される。すなわち、第１の矯正レバー３５の揺動端部３５ｂが、同図（Ｂ）に示すように隙間δだけ隔てた状態で底板２５の矢印Ｂ方向の端部２５ａに接近している。したがって、折れ１１ａが紙幣挿入口３１を通過する際、折れ１１ａと対向する部位１１ｂが端部２５ａに対接するため、折れ１１ａは上方への移動（紙幣の厚み方向への移動）を規制された状態で揺動端部３５ｂに係合する。この状態で、さらに紙幣１１が矢印Ａ方向にわずかに搬送されると、揺動端部３５ｂに係合している折れ１１ａは対向する部位１１ｂから剥離するように、矢印Ｂ方向に折り返されながら平坦状に矯正される。
【００２９】
紙幣１１の後端が紙幣搬送路３０内に取り込まれた後、さらに紙幣１１は紙幣搬送路３０内を矢印Ａ方向に搬送され、紙幣１１の前端が開口３２から露呈する。このとき、紙幣搬送路３０の開口３２に隣接した部位４８において、上板５とアッパーケース３の底板２５との間隔が狭く形成されているため、この部位４８を通過する紙幣１１の上下方向の移動が規制される。したがって、紙幣１１の前端が、第２の矯正レバー４５の揺動端部４５ａとロアーケース２の上板５の端部５ａとの対接部に導かれる。また、紙幣１１がこの部位４８を通過するときに、紙幣１１の前端部の撓みやカール癖が一時的ではあるが矯正されて平坦状になるため、この前端部の剛性が第２の矯正レバー４５に当接する際に大きくなる。このため、紙幣１１の前端部は、第２の矯正レバー４５の揺動端部４５ａとロアーケース２の上板５の端部５ａとの対接部との間で破損したりすることなく円滑に通過し開口３２から露呈する。
【００３０】
さらに、紙幣１１が矢印Ａ方向に搬送されて紙幣１１の後端が第２のセンサ５２によって検知されると、紙幣１１の前端側が開口３２から露呈した状態で、モータ１０の駆動が停止し、一旦紙幣１１の搬送が停止する。次いで、モータ１０が逆方向に駆動し、駆動ローラ１９が図２中時計方向に回転することにより、搬送ベルト２１が矢印Ｂ方向に走行する。したがって、紙幣１１は駆動ローラ１９とピンチローラ３３とに挟持された状態で矢印Ｂ方向に搬送され、図５に示すように紙幣１１の前端部が開口３２に接近する。
【００３１】
このとき、仮に、紙幣１１の前端部に図中下方側でかつ紙幣搬送方向（矢印Ｂ方向）に折り返された折れ１１ｃが発生していたとしても、紙幣１１の前端部が開口３２から紙幣搬送路３０内に取り込まれる際にこの折れ１１ｃが矯正される。すなわち、第２の矯正レバー４５の揺動端部４５ａがロアーケース２の上板５の矢印Ａ方向の端部５ｂに対接している。したがって、折れ１１ｃが開口３２を通過する際に、折れ１１ｃと対向する部位１１ｄが第２の矯正レバー４５の揺動端部４５ａに対接するため、折れ１１ｃは上方への移動（紙幣１１の厚み方向への移動）を規制された状態で端部５ｂに係合する。この状態で、さらに紙幣１１が矢印Ｂ方向にわずかに搬送されると、端部５ｂに係合している折れ１１ｃは対向する部位１１ｄから剥離するように、矢印Ａ方向に折り返されながら平坦状に矯正される。
【００３２】
前端部の折れ１１ｃが矯正され紙幣搬送路３０内に取り込まれた紙幣１１が矢印Ｂ方向に搬送され、前端が第３のセンサ５３によって検知されると、モータ１０の駆動が停止して紙幣１１の搬送も停止する。紙幣１１はこの位置で、図示を省略した紙幣識別装置によって真贋が識別され、疑似紙幣であると識別されることにより、モータ１０が逆方向に駆動し、駆動ローラ１９が図２中時計方向に回転するため、疑似紙幣はカード搬送路３０を矢印Ｂ方向に搬送され、紙幣挿入口３１から返却される。
【００３３】
一方、紙幣識別装置によって紙幣１１が真札であると識別されることにより、図示を省略したソレノイドが駆動し、各ピンチローラ３３が駆動ローラ１９、従動ローラ２０およびテンションローラ２２，２２から離間する。同時に、図示を省略したモータの駆動によって搬送ローラ５５が回転し、この搬送ローラ５５とこれに対接するピンチローラ（図示せず）とによって紙幣１１が挟持され、紙幣１１は矢印Ｃ方向に搬送され紙幣収納部５６に収納される。
【００３４】
紙幣収納部５６に堆積状態で収納される紙幣１１は、折れ１１ａ，１１ｃが矯正されているため、堆積不良が発生したり、収納枚数が減ってしまうというようなことがない。また、紙幣搬送中に紙幣１１の折れに起因する紙幣詰まりを防止することができる。
【００３５】
なお、本実施の形態においては、第２の矯正レバー４５の揺動端部４５ａをロアーケース２の上板５の端部５ａに対接させた状態としたが、第１の矯正レバー３５の揺動端部３５ｂとアッパーケース３の端部２５ａとの間に設けた隙間δを揺動端部４５ａと端部５ａとの間に設けるようにしてもよい。また、本実施の形態においては、紙幣１１の折れ１１ｃが下方側に折り返された例を説明したが、上方側に折り返されていたとしても、上述した端部５ａによって矯正するのと同じ作用によって第２の矯正レバー４５によって矯正することができる。また、紙幣収納方向を矢印Ｃ方向としたが、矢印Ａ方向に搬送し開口３２から排出するようにして収納してもよい。また、紙幣挿入口３１に第１の矯正レバー３５を設けたが、紙幣１１の後端側に折れ１１ａが発生していない場合は設けなくてもよい。
【図面の簡単な説明】
【００３６】
【図１】本発明に係る紙幣搬送装置におけるアッパーケースを取り外した状態を示す平面図である。
【図２】図１におけるII-II 線断面図である。
【図３】図２における要部を拡大して示す断面図であって、紙幣挿入口を開放した状態を示す。
【図４】図２における要部を拡大して示す断面図であって、同図（Ａ）は矯正レバーによって紙幣の折れを矯正する状態を示し、同図（Ｂ）は矯正レバーの揺動端部が紙幣挿入口に進出した状態で、揺動端部と搬送路形成板との間に隙間が形成されている状態を示す。
【図５】図２における要部を拡大して示す断面図である。
【符号の説明】
【００３７】
１…紙幣搬送装置、２…ロアーケース、３…アッパーケース、５…上板（搬送路形成板）、５ａ…端部、５ｂ…隆起部、１１…紙幣、１１ｃ…折れ、１９…駆動ローラ、２０…従動ローラ、２１…搬送ベルト、２５…底板（搬送路形成板）、３０…紙幣搬送路、３１…紙幣挿入口、３２…開口、４５…第２の矯正レバー（矯正レバー）、４５ａ…揺動端部、４７…ねじりコイルばね、５５…搬送ローラ、５６…紙幣収納部。
【図１】
0005011753.tif 000002
【図２】
0005011753.tif 000003
【図３】
0005011753.tif 000004
【図４】
0005011753.tif 000005
【図５】
0005011753.tif 000006